【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
陰圧治療で使用されるドレッシングにおいて、
無孔材料の第１フィルムと複数の流体制限部とを備える第１層と、
前記第１層に隣接する第２層であって、無孔材料の第２フィルムを備え、前記第２フィルムが、ブリスタと、前記第２フィルムを通る流体の移動を可能にする第１アパーチャとを有する、第２層と、
無孔材料を備える第３層であって、前記無孔材料が、閉鎖セルと、前記第３層を通る流体の移動を可能にする、前記閉鎖セルの間の第２アパーチャとを有する、第３層と、
を備えることを特徴とするドレッシング。
【請求項２】
請求項１に記載のドレッシングにおいて、前記閉鎖セルに収容される流体をさらに備えることを特徴とするドレッシング。
【請求項３】
請求項１に記載のドレッシングにおいて、前記第３層の前記無孔材料が独立気泡フォームを含むことを特徴とするドレッシング。
【請求項４】
請求項１に記載のドレッシングにおいて、
前記第２層とは反対側で前記第３層に隣接する第４層であって、無孔材料の第３フィルムを備え、前記第３フィルムが、ブリスタと、前記第４層を通る流体の移動を可能にする第３アパーチャとを有する、第４層と、
前記第３層とは反対側で前記第４層に隣接する第５層であって、無孔材料の第４フィルムと第２の複数の流体制限部とを備える第５層と、
をさらに備えることを特徴とするドレッシング。
【請求項５】
請求項１に記載のドレッシングにおいて、前記第１フィルムがポリマーフィルムであることを特徴とするドレッシング。
【請求項６】
請求項１に記載のドレッシングにおいて、前記第１フィルムが疎水性であることを特徴とするドレッシング。
【請求項７】
請求項１に記載のドレッシングにおいて、前記第１フィルムが、９０度より大きい水接触角を有することを特徴とするドレッシング。
【請求項８】
請求項１に記載のドレッシングにおいて、前記第１フィルムがポリエチレンフィルムであることを特徴とするドレッシング。
【請求項９】
請求項１に記載のドレッシングにおいて、前記第１フィルムが、ポリエチレン、ポリウレタン、アクリル樹脂、ポリオレフィン、ポリアセテート、ポリアミド、ポリエステル、ポリエーテルブロックアミド、熱可塑性加硫物、ポリエーテル及びポリビニルアルコールからなる群から選択されていることを特徴とするドレッシング。
【請求項１０】
請求項１に記載のドレッシングにおいて、前記第１フィルムが、３０グラム／平方メートル未満の面密度を有するポリエチレンフィルムであることを特徴とするドレッシング。
【請求項１１】
請求項１に記載のドレッシングにおいて、前記流体制限部が、通常は閉鎖しており、前記第１フィルムにわたる圧力勾配に応答して開放する、エラストマー弁を備えるか又は前記エラストマー弁から本質的に構成されていることを特徴とするドレッシング。
【請求項１２】
請求項１に記載のドレッシングにおいて、前記流体制限部が複数の穿孔又は開窓を備えることを特徴とするドレッシング。
【請求項１３】
請求項１に記載のドレッシングにおいて、前記流体制限部が直線状穿孔を備え、前記直線状穿孔の各々が４ミリメートル以下の長さを有することを特徴とするドレッシング。
【請求項１４】
請求項１に記載のドレッシングにおいて、前記流体制限部が直線状開窓を備え、前記直線状開窓の各々が４ミリメートル以下の長さを有することを特徴とするドレッシング。
【請求項１５】
請求項１に記載のドレッシングにおいて、前記流体制限部が複数の直線状穿孔を備え、前記直線状穿孔の各々が２ミリメートル以下の幅を有することを特徴とするドレッシング。
【請求項１６】
請求項１に記載のドレッシングにおいて、前記流体制限部が複数の直線状穿孔を備え、前記直線状穿孔の各々が４ミリメートル以下の長さと２ミリメートル以下の幅とを有することを特徴とするドレッシング。
【請求項１７】
請求項１６に記載のドレッシングにおいて、前記幅が１ミリメートル以下であることを特徴とするドレッシング。
【請求項１８】
請求項１６に記載のドレッシングにおいて、前記長さが３ミリメートル以下であり、前記幅が１ミリメートル以下であることを特徴とするドレッシング。
【請求項１９】
請求項１６に記載のドレッシングにおいて、前記幅が少なくとも０．５ミリメートルであることを特徴とするドレッシング。
【請求項２０】
請求項１６に記載のドレッシングにおいて、前記長さが少なくとも２ミリメートルであることを特徴とするドレッシング。
【請求項２１】
請求項１に記載のドレッシングにおいて、前記流体制限部が前記第１フィルムと同一の広がりを有することを特徴とするドレッシング。
【請求項２２】
請求項１に記載のドレッシングにおいて、前記流体制限部が前記第２層と同一の広がりを有することを特徴とするドレッシング。
【請求項２３】
請求項１に記載のドレッシングにおいて、前記流体制限部が前記第１フィルムにわたって均一パターンで分散されていることを特徴とするドレッシング。
【請求項２４】
請求項１に記載のドレッシングにおいて、前記流体制限部が平行な行及び列の格子で前記第１フィルムにわたって分散されていることを特徴とするドレッシング。
【請求項２５】
請求項１に記載のドレッシングにおいて、
前記流体制限部が、平行な行及び列で前記第１フィルムにわたって分散され、
前記平行な行が中心において約３ミリメートル間隔を空けて配置され、
前記行の各々における前記流体制限部が中心において約３ミリメートル間隔を空けて配置されていることを特徴とするドレッシング。
【請求項２６】
請求項１に記載のドレッシングにおいて、
前記流体制限部が平行な行及び列で前記第１フィルムにわたって分散され、
前記行が中心において約３ミリメートル間隔を空けて配置され、
前記行の各々における前記流体制限部が中心において約３ミリメートル間隔を空けて配置され、
隣接する行における前記流体制限部がずれていることを特徴とするドレッシング。
【請求項２７】
請求項１に記載のドレッシングにおいて、前記流体制限部が前記第２アパーチャと位置合わせされていることを特徴とするドレッシング。
【請求項２８】
請求項１に記載のドレッシングにおいて、前記ブリスタが約２ミリメートル間隔を空けて配置されていることを特徴とするドレッシング。
【請求項２９】
請求項１に記載のドレッシングにおいて、前記ブリスタが約１．５ミリメートルの高さを有することを特徴とするドレッシング。
【請求項３０】
請求項１に記載のドレッシングにおいて、前記ブリスタが約１．５ミリメートルの幅を有することを特徴とするドレッシング。
【請求項３１】
請求項１に記載のドレッシングにおいて、
前記ブリスタが約２ミリメートル間隔を空けて配置され、
前記ブリスタが約１．５ミリメートルの高さを有し、
前記ブリスタが約１．５ミリメートルの直径を有することを特徴とするドレッシング。
【請求項３２】
請求項１に記載のドレッシングにおいて、前記第２フィルムがポリウレタンであることを特徴とするドレッシング。
【請求項３３】
請求項１に記載のドレッシングにおいて、
前記第３層の前記無孔材料が、互いに接合された第３フィルム及び第４フィルムを備え、
前記閉鎖セルが、前記第３フィルム及び前記第４フィルムによって画定されていることを特徴とするドレッシング。
【請求項３４】
請求項１に記載のドレッシングにおいて、
前記第３層の前記無孔材料が、互いに接合された第３フィルム及び第４フィルムを備え、
前記閉鎖セルが、前記第３フィルム及び前記第４フィルムによって画定されており、
前記第３フィルム及び前記第４フィルムがポリオレフィンであることを特徴とするドレッシング。
【請求項３５】
陰圧療法で使用される創傷充填材において、
マニホールド層であって、閉鎖セルと、前記マニホールド層を通して流体を集配するように構成されたアパーチャとを有する第１層を備えるマニホールド層と、
前記マニホールド層に貼り合わされた第２層及び第３層であって、各々が、疎水性材料のフィルムと、前記フィルムを通して流体を移動させるように構成された穿孔又は開窓とを備える、第２層及び第３層と、
を備えることを特徴とする創傷充填材。
【請求項３６】
請求項３５に記載の創傷充填材において、前記マニホールド層が、ブリスタと、前記マニホールド層を通して流体を集配するように構成されたアパーチャとを有する、第４層をさらに備えることを特徴とする創傷充填材。
【請求項３７】
請求項３５に記載の創傷充填材において、前記閉鎖セルが流体を収容することを特徴とする創傷充填材。
【請求項３８】
請求項３５に記載の創傷充填材において、前記第２層及び前記第３層の前記フィルムがポリエチレンフィルムであることを特徴とする創傷充填材。
【請求項３９】
請求項３５に記載の創傷充填材において、前記穿孔又は開窓が直線状穿孔を含み、前記直線状穿孔の各々が４ミリメートル以下の長さを有することを特徴とする創傷充填材。
【請求項４０】
請求項３５に記載の創傷充填材において、
前記第１層が、互いに接合された第２フィルム及び第３フィルムを備え、
前記閉鎖セルが、前記第２フィルム及び前記第３フィルムによって画定されていることを特徴とする創傷充填材。
【請求項４１】
請求項３５に記載の創傷充填材において、前記マニホールド層が、
ブリスタと、前記マニホールド層を通して流体を集配するように構成されたアパーチャとを有する第４層と、
ブリスタと、前記マニホールド層を通して流体を集配するように構成されたアパーチャとを有する第５層と、
をさらに備えることを特徴とする創傷充填材。
【請求項４２】
請求項３５に記載の創傷充填材において、前記閉鎖セルが、１．５ｍｍ〜３ｍｍの直径を有することを特徴とする創傷充填材。
【請求項４３】
組織部位を治療するためのシステムにおいて、
創傷充填材であって、
無孔材料の第１フィルムと複数の流体制限部とを備える第１層と、
前記第１層に隣接する第２層であって、ブリスタ及び第１アパーチャを有する無孔材料の第２フィルムを備える第２層と、
閉鎖セルと前記閉鎖セルの間の第２アパーチャとを有する無孔材料を含む第３層と、
を備える創傷充填材と、
前記第２層とは反対側で前記第１層に結合され、ポリマードレープを備える第４層と、
前記第４層に結合されるように適合されたインタフェースと、
を備えることを特徴とするシステム。
【請求項４４】
請求項４３に記載のシステムにおいて、前記インタフェースを通して前記創傷充填材に流体的に接続されるように適合された陰圧源をさらに備えることを特徴とするシステム。
【請求項４５】
無孔材料の第１フィルムと第１の複数の流体制限部とを備える第１層と、
前記第１層に隣接する第２層であって、ブリスタ及び第１アパーチャを有する無孔材料の第２フィルムを備える第２層と、
第１の複数の閉鎖セルと前記閉鎖セルの間の第２アパーチャとを備える第３層と、
第２の複数の閉鎖セルと前記閉鎖セルの間の第３アパーチャとを備える第４層と、
前記第３層とは反対側で前記第４層に隣接する第５層であって、ブリスタ及び第４アパーチャを有する無孔材料の第３フィルムを備える第５層と、
無孔材料の第４フィルムと第２の複数の流体制限部とを備える、前記第５層に隣接する第６層と、
を備えることを特徴とする創傷充填材。
【請求項４６】
請求項４５に記載の創傷充填材において、前記第３層と前記第４層との間に位置決めされた第７層であって、第３の複数の閉鎖セルを備える第７層をさらに備えることを特徴とする創傷充填材。
【請求項４７】
組織部位を治療するためのドレッシングにおいて、
無孔材料の第１フィルムと第１の複数の流体制限部とを備える第１層と、
前記第１層に隣接する第２層であって、無孔材料の第２フィルムを備え、前記第２フィルムが、ブリスタと、前記第２フィルムを通る流体の移動を可能にする第１アパーチャとを有する、第２層と、
を備えることを特徴とするドレッシング。
【請求項４８】
陰圧治療で使用されるマニホールドにおいて、
複数の流体制限部を備える無孔材料の第１フィルムと、
第１アパーチャを備える無孔材料の第２フィルムと、
前記第１フィルムと前記第２フィルムとの間に形成された複数の閉鎖セルと、
を備えることを特徴とするマニホールド。
【請求項４９】
請求項４８に記載のマニホールドにおいて、前記複数の流体制限部及び前記第１アパーチャが、前記マニホールドを通る流体の移動を可能にするように前記閉鎖セルの間にあることを特徴とするマニホールド。
【請求項５０】
請求項４８に記載のマニホールドにおいて、無孔材料の第３フィルムであって、ブリスタと、前記第３フィルムを通る流体の移動を可能にする第２アパーチャとを有し、前記第２フィルムが前記第１フィルムと前記第３フィルムとの間に位置決めされている、第３フィルムをさらに備えることを特徴とするマニホールド。
【請求項５１】
請求項４８に記載のマニホールドにおいて、前記第１フィルムが疎水性であることを特徴とするマニホールド。
【請求項５２】
請求項４８に記載のマニホールドにおいて、前記第１フィルムがポリエチレンフィルムであることを特徴とするマニホールド。
【請求項５３】
請求項４８に記載のマニホールドにおいて、前記流体制限部が、通常は閉鎖しており、前記第１フィルムにわたる圧力勾配に応答して開放する、エラストマー弁を備えるか又は前記エラストマー弁から本質的に構成されていることを特徴とするマニホールド。
【請求項５４】
請求項４８に記載のマニホールドにおいて、前記流体制限部が直線状開窓を備え、前記直線状開窓の各々が４ミリメートル以下の長さを有することを特徴とするマニホールド。